(57)【要約】【課題】ロールメディアから巻き解かれたメディアを容易にプラテン上に載置することができるプリンタを提供する。【解決手段】プリンタ１０は、ピンチローラ２３をグリッドローラ２２に対して接近及び離反させる第１リンク機構５５と、ロールメディア５の回転を許容及び阻止する第２リンク機構６０と、第１リンク機構５５及び第２リンク機構６０に接続され、基準位置Ａ０から第１の位置Ａ１に移動したときピンチローラ２３がグリッドローラ２２に対して接近しメディア５Ａが挟まれ、第１の位置Ａ１から基準位置Ａ０に移動したときピンチローラ２３がグリッドローラ２２に対して離反しメディア５Ａが解放され、基準位置Ａ０から第２の位置Ａ２に移動したときロールメディア５の回転が阻止され、第２の位置Ａ２から基準位置Ａ０に移動したときロールメディア５の回転の阻止が解除されるローディングレバー５０とを備える。【選択図】図８
2018122433.tif 000002
【特許請求の範囲】
【請求項１】
長尺なメディアを巻き回して形成された主走査方向に延びるロールメディアが支持されるメディア支持装置と、
前記メディア支持装置に対して前記主走査方向と直交する副走査方向の下流側に配置され、前記ロールメディアから巻き解かれた前記メディアが載置されるプラテンと、
前記プラテンに設けられ、前記メディアを前記副走査方向に搬送するグリッドローラと、
前記グリッドローラの上方に配置され、前記メディアを押さえるピンチローラと、
前記ピンチローラを前記グリッドローラに対して接近および離反させる第１リンク機構と、
前記ロールメディアの回転を許容および阻止する第２リンク機構と、
前記グリッドローラに対して前記メディア支持装置の反対側に配置され、前記第１リンク機構および前記第２リンク機構に接続され、基準位置から第１の位置に移動したとき前記ピンチローラが前記グリッドローラに対して接近し前記メディアが前記ピンチローラおよび前記グリッドローラに挟まれ、前記第１の位置から前記基準位置に移動したとき前記ピンチローラが前記グリッドローラに対して離反し前記メディアが解放され、前記基準位置から第２の位置に移動したとき前記ロールメディアの回転が阻止され、前記第２の位置から前記基準位置または前記第１の位置に移動したとき前記ロールメディアの回転の阻止が解除されるローディングレバーと、を備えている、プリンタ。
【請求項２】
前記メディア支持装置は、
前記ロールメディアの一の端部を支持し、前記ロールメディアを回転可能に支持する第１ホルダーと、
前記ロールメディアの他の端部を支持し、前記ロールメディアを回転可能に支持する第２ホルダーと、を備え、
前記第１ホルダーには、前記主走査方向に延び、前記ロールメディアと共に回転する回転軸が設けられ、
前記回転軸には、径方向に延びる突起部が設けられ、
前記第２リンク機構は、
前記ローディングレバーが前記基準位置から前記第２の位置に移動したとき、前記突起部に接触する接触位置に移動して、前記ロールメディアの回転を阻止し、かつ、前記ローディングレバーが前記第２の位置から前記基準位置または前記第１の位置に移動したとき、前記突起部から離反する非接触位置に移動して、前記ロールメディアの回転を許容するストッパーを備えている、請求項１に記載のプリンタ。
【請求項３】
前記第２リンク機構は、
前記ローディングレバーと前記ストッパーとに接続され、前記ローディングレバーが前記基準位置から前記第２の位置に移動したときに張力が加わるケーブルと、
前記ストッパーを回動可能に支持する支軸と、を備え、
前記ケーブルに張力が加わったとき、前記ストッパーは前記接触位置に向けて回動し、前記ケーブルに張力が加わっていないとき、前記ストッパーは前記非接触位置に位置する、請求項２に記載のプリンタ。
【請求項４】
前記回転軸が設けられた前記第１ホルダーは、前記プラテンに対する前記主走査方向の位置を変更可能に構成されている、請求項３に記載のプリンタ。
【請求項５】
前記ストッパーは、前記メディアが前記ピンチローラおよび前記グリッドローラに挟まれると同時または後に、前記ロールメディアの回転の阻止を解除するように構成されている、請求項２から４のいずれか一項に記載のプリンタ。
【請求項６】
前記第１の位置は、前記基準位置に対して前記第２の位置の反対側に位置する、請求項１から５のいずれか一項に記載のプリンタ。
【請求項７】
前記第１の位置は、前記第２の位置に対して前記基準位置の反対側に位置する、請求項１から５のいずれか一項に記載のプリンタ。
【請求項８】
前記プラテンから搬送された前記メディアを巻き取る巻き取り装置を備えている、請求項１から７のいずれか一項に記載のプリンタ。
【請求項９】
前記プラテンの上方に配置され、前記主走査方向に移動し、前記メディアにインクを吐出するインクヘッドを備えている、請求項１から８のいずれか一項に記載のプリンタ。
【請求項１０】
前記プラテンの上方に配置され、前記主走査方向に移動し、前記メディアをカットするカッティングヘッドを備えている、請求項１から９のいずれか一項に記載のプリンタ。
【発明の詳細な説明】
【技術分野】
【０００１】
本発明は、プリンタに関する。
【背景技術】
【０００２】
従来から、インクをメディアに吐出するインクヘッドやメディアを切断するカッティングヘッドと、長尺なメディアを搬送する搬送装置と、を備えたプリンタが知られている。プリンタとしては、例えば、長尺なメディアがロール状に巻き回して形成されたロールメディアが巻き解かれながら搬送され、搬送されたメディアがロール状に巻き取られるロールトゥロール方式のプリンタが知られている（例えば特許文献１参照）。
【０００３】
近年では、比較的大型のサイズのメディアを用いることが可能な大型のプリンタの開発が進んでいる。このような大型のプリンタでは、プリンタによる作業を行う前に、作業者は予めメディアをプリンタのプラテンに載置して、メディアの位置合わせをする必要がある。メディアが適切な位置に載置されていない場合には、メディアが斜行して搬送されることがあり、インクヘッドによる印刷やカッティングヘッドによるカッティングが適切に行われなくなることがあるので、作業者は、メディアをプラテンに慎重に載置する必要がある。
【先行技術文献】
【特許文献】
【０００４】
【特許文献１】特開２０１１−１１８８９号公報
【発明の概要】
【発明が解決しようとする課題】
【０００５】
ところで、ロールメディアから巻き解かれたメディアをプラテンに載置する場合、プラテン上を通ってメディアの先端をプリンタ前方まで引き出して、メディアを前方に引っ張った状態でローディングレバーを操作する。これにより、ピンチローラおよびグリッドローラがメディアを挟み込み、プラテン上にメディアが載置される。このとき、ロールメディアは通常回転自在にプリンタに載置されているため、メディアを前方に引っ張るとロールメディアが回転してしまう。メディアにテンションを掛けた状態でメディアの位置合わせを行うには、ロールメディアが回転しないようにプリンタ前方に位置する作業者がプリンタ後方に腕を伸ばしてロールメディア押さえること等を行っていたが、操作性が悪く、また、作業者の体格やプリンタの大きさによっては腕を伸ばすことが困難な場合があった。
【０００６】
本発明はかかる点に鑑みてなされたものであり、その目的は、ロールメディアから巻き解かれたメディアを容易にプラテン上に載置することができるプリンタを提供することである。
【課題を解決するための手段】
【０００７】
本発明に係るプリンタは、長尺なメディアを巻き回して形成された主走査方向に延びるロールメディアが支持されるメディア支持装置と、前記メディア支持装置に対して前記主走査方向と直交する副走査方向の下流側に配置され、前記ロールメディアから巻き解かれた前記メディアが載置されるプラテンと、前記プラテンに設けられ、前記メディアを前記副走査方向に搬送するグリッドローラと、前記グリッドローラの上方に配置され、前記メディアを押さえるピンチローラと、前記ピンチローラを前記グリッドローラに対して接近および離反させる第１リンク機構と、前記ロールメディアの回転を許容および阻止する第２リンク機構と、前記グリッドローラに対して前記メディア支持装置の反対側に配置され、前記第１リンク機構および前記第２リンク機構に接続され、基準位置から第１の位置に移動したとき前記ピンチローラが前記グリッドローラに対して接近し前記メディアが前記ピンチローラおよび前記グリッドローラに挟まれ、前記第１の位置から前記基準位置に移動したとき前記ピンチローラが前記グリッドローラに対して離反し前記メディアが解放され、前記基準位置から第２の位置に移動したとき前記ロールメディアの回転が阻止され、前記第２の位置から前記基準位置または前記第１の位置に移動したとき前記ロールメディアの回転の阻止が解除されるローディングレバーと、を備えている。
【０００８】
本発明のプリンタによると、ローディングレバーが基準位置から第２の位置に移動したときロールメディアの回転が阻止され、ローディングレバーが第２の位置から基準位置または第１の位置に移動したときロールメディアの回転の阻止が解除される。このため、メディアをプラテン上に載置する際には、先ず、ロールメディアから巻き解かれたメディアをプラテンより下流側（例えば前方に）引き出して、ローディングレバーを基準位置から第２の位置に移動させる。これにより、ロールメディアの回転が阻止される。この状態で、プラテン上のメディアを主走査方向（例えば左右方向に）に動かして位置合わせをした後メディアを引っ張ることによってメディアにテンションを掛ける。その後、ローディングレバーを第２の位置から第１の位置に移動させることによって、メディアにテンションが掛かりかつメディアが適切な位置に載置された状態で、メディアはピンチローラおよびグリッドローラに挟まれる。このように、作業者は、メディアの位置合わせをする際にメディア支持装置に手を伸ばす必要がなく、ローディングレバーの操作という簡単な動作によって、メディアをプラテン上に適切に載置することができる。この結果、メディアは斜行が抑制された状態で搬送される。
【発明の効果】
【０００９】
本発明によれば、ロールメディアから巻き解かれたメディアを容易にプラテン上に載置することができるプリンタを提供することができる。
【図面の簡単な説明】
【００１０】
【図１】一実施形態に係るプリンタの正面図である。
【図２】図１中のＩＩ‐ＩＩ線に沿う断面図である。
【図３】一実施形態に係るプリンタの一部を背面かつ上方から見た背面斜視図である。
【図４】一実施形態に係るプリンタの一部を背面かつ上方から見た背面斜視図である。
【図５】一実施形態に係るプリンタのブロック図である。
【図６】一実施形態に係るローディングレバーの位置を示す側面図である。
【図７】一実施形態に係る第２リンク機構およびその周辺構造を示す側面図であり、ロールメディアの回転が許容されている状態を示す側面図である。
【図８】一実施形態に係る第２リンク機構およびその周辺構造を示す側面図であり、ロールメディアの回転が阻止されている状態を示す側面図である。
【発明を実施するための形態】
【００１１】
以下、図面を参照しながら、一実施形態に係るプリンタについて説明する。本実施形態に係るプリンタは、長尺なメディア（例えば帯状のメディア）に印刷を行うインクジェットプリンタ１０（以下、プリンタ１０とする。）である。なお、ここで説明される実施形態は、当然ながら特に本発明を限定することを意図したものではない。また、同じ作用を奏する部材、部位には同じ符号を付し、重複する説明は適宜省略または簡略化する。
【００１２】
図１は、本実施形態に係るプリンタ１０の正面図である。図２は、図１のＩＩ‐ＩＩ線に沿う断面図である。図３は、プリンタ１０の一部を背面かつ情報から見た背面斜視図であり、ロールメディア５がプリンタ１０に配置されていない状態を示す。図４は、プリンタ１０の一部を背面かつ情報から見た背面斜視図であり、ロールメディア５がプリンタ１０に配置されている状態を示す。プリンタ１０は、ロールメディア５から巻き解かれたメディア５Ａに印刷を行うためのものである。
【００１３】
以下の説明では、左、右、上、下とは、プリンタ１０の正面にいる作業者から見た左、右、上、下をそれぞれ意味することとする。また、プリンタ１０から上記作業者に近づく方を前方、遠ざかる方を後方とする。図面中の符号Ｆ、Ｒｒ、Ｌ、Ｒ、Ｕ、Ｄは、それぞれ前、後、左、右、上、下を表す。図面中の符号Ｙは主走査方向を表す。本実施形態では、主走査方向Ｙは、左右方向である。主走査方向Ｙは、メディア５Ａの幅方向である。図面中の符号Ｘは副走査方向を表す。副走査方向Ｘは主走査方向Ｙと交差する方向（例えば、平面視で垂直に交差する方向）である。本実施形態では、副走査方向Ｘは前後方向である。副走査方向Ｘは、メディア５Ａの長手方向である。ただし、上記方向は便宜的に定めたものに過ぎず、限定的に解釈すべきものではない。
【００１４】
本実施形態のメディア５Ａは、普通紙である。メディア５Ａは、後述する供給軸３２に巻き回して形成されかつ後述する巻き取り軸４８に巻き取り可能な形状のものであればよく、記録紙に限定されない。メディア５Ａは、普通紙やインクジェット用印刷紙等の紙類以外に、ポリ塩化ビニルやポリエステル等の樹脂製のシートやフィルム、織布や不織布等の布帛、その他の媒体であってもよい。ロールメディア５は、長尺なメディア５Ａが巻き回して形成されている。ロールメディア５は、主走査方向Ｙに延びる。
【００１５】
図１に示すように、プリンタ１０は、本体部１２と、左サイドカバー１３Ｌおよび右サイドカバー１３Ｒと、プラテン２０と、グリッドローラ２２（図２参照）と、ピンチローラ２３（図２参照）と、ガイドレール２４と、ベルト２５と、キャリッジ２６（図２参照）と、インクヘッド２７と、カッティングヘッド２８と、メディア支持装置３０と、巻き取り装置４４とを備えている。
【００１６】
図１に示すように、本体部１２は、左スタンド１５Ｌおよび右スタンド１５Ｒに支持されている。本体部１２は、主走査方向Ｙに延びている。左サイドカバー１３Ｌは、本体部１２の左端に設けられている。右サイドカバー１３Ｒは、本体部１２の右端に設けられている。本体部１２には上下方向に延びる中央壁１４が設けられている。中央壁１４は、主走査方向Ｙに延びている。中央壁１４は、左サイドカバー１３Ｌと右サイドカバー１３Ｒとを連結する。
【００１７】
図１に示すように、本体部１２には、ロールメディア５から巻き解かれたメディア５Ａが載置されるプラテン２０が設けられている。プラテン２０は、主走査方向Ｙに延びる。プラテン２０は、メディア支持装置３０に対して副走査方向Ｘの下流側に配置されている。プラテン２０は、メディア支持装置３０より前方に配置されている。なお、本実施形態において、メディア支持装置３０側を副走査方向Ｘの上流側とし、巻き取り装置４４側を副走査方向Ｘの下流側とする。
【００１８】
図２に示すように、プラテン２０には、円筒状のグリッドローラ２２が設けられている。グリッドローラ２２は、その上面部を露出させた状態でプラテン２０に埋設されている。グリッドローラ２２は、フィードモータ（図示せず）によって駆動される。グリッドローラ２２は、ロールメディア５から巻き解かれたメディア５Ａを副走査方向Ｘに移動させる。
【００１９】
グリッドローラ２２の上方には、ピンチローラ２３が配置されている。ピンチローラ２３は、グリッドローラ２２に対向している。ピンチローラ２３は、メディア５Ａの厚さに応じて上下方向の位置を設定可能に構成されている。ピンチローラ２３は、メディア５Ａを押さえる。ピンチローラ２３とグリッドローラ２２との間にメディア５Ａを挟み込む。グリッドローラ２２およびピンチローラ２３は、メディア５Ａを狭持しながらメディア５Ａを副走査方向Ｘに搬送可能に構成されている。なお、図２では、一つのグリッドローラ２２と一つのピンチローラ２３のみを図示しているが、実際には、一対のグリッドローラ２２およびピンチローラ２３が複数設けられている。
【００２０】
図１示すように、ガイドレール２４は、中央壁１４に設けられている。ガイドレール２４は、プラテン２０の上方に配置されている。ガイドレール２４は、プラテン２０と平行に配置されている。ガイドレール２４は、主走査方向Ｙに延びている。図２に示すように、ガイドレール２４には、キャリッジ２６が係合している。
【００２１】
図１に示すように、ベルト２５は、中央壁１４の壁面に平行して配置されている。ベルト２５は、主走査方向Ｙに延びている。ベルト２５は、無端状のベルトである。ベルト２５の右端および左端には、プーリ１６Ａ、１６Ｂが巻き掛けられている。一方のプーリ１６Ａには、当該プーリ１６Ａを駆動するキャリッジモータ１７に接続されている。キャリッジモータ１７が回転するとプーリ１６Ａが回転し、ベルト２５が主走査方向Ｙに走行する。
【００２２】
図２に示すように、キャリッジ２６は、ベルト２５に固定されている。ベルト２５が走行すると、キャリッジ２６はガイドレール２４に沿って主走査方向Ｙに移動する。
【００２３】
図２に示すように、インクヘッド２７は、プラテン２０の上方に配置されている。インクヘッド２７は、メディア５Ａにインクを吐出するノズル（図示せず）を備えている。インクヘッド２７は、キャリッジ２６に設けられている。キャリッジ２６が主走査方向Ｙに移動すると、インクヘッド２７も主走査方向Ｙに移動する。インクヘッド２７は、主走査方向Ｙに移動しながらメディア５Ａに向かってインクを吐出する。
【００２４】
図１に示すように、カッティングヘッド２８は、プラテン２０の上方に配置されている。カッティングヘッド２８は、メディア５Ａをカットするカッター（図示せず）を備えている。カッティングヘッド２８は、キャリッジ２６に設けられている。キャリッジ２６が主走査方向Ｙに移動すると、カッティングヘッド２８も主走査方向Ｙに移動する。なお、本実施形態では、カッティングヘッド２８およびインクヘッド２７は、同一のキャリッジ２６に搭載されているが、それぞれ別個のキャリッジに搭載され、相互に独立して移動するように構成されていてもよい。
【００２５】
メディア支持装置３０は、ロールメディア５を支持する。メディア支持装置３０には、供給軸３２（図４参照）が着脱自在に設けられる。図３に示すように、メディア支持装置３０は、第１ホルダー３３と、第２ホルダー３４と、を備えている。
【００２６】
図２に示すように、供給軸３２は、プラテン２０より下方に配置されている。供給軸３２は、プラテン２０より後方に配置されている。供給軸３２は、左右方向に延びる円筒形状に形成されている。供給軸３２には、帯状のメディア５Ａが巻き回されている。供給軸３２とメディア５Ａとによって、ロールメディア５が形成されている。図４に示すように、ロールメディア５の右端部、即ち供給軸３２の右端部は、第１ホルダー３３に回転可能に支持されている。ロールメディア５の左端部、即ち供給軸３２の左端部は、第２ホルダー３４に回転可能に支持されている。ロールメディア５、即ち供給軸３２は、第１ホルダー３３および第２ホルダー３４に着脱自在に設けられている。
【００２７】
図３に示すように、第１ホルダー３３および第２ホルダー３４は、主走査方向Ｙに延びるスライドバー７０にスライド自在に設けられている。第１ホルダー３３および第２ホルダー３４は、スライドバー７０に沿って主走査方向Ｙの位置を変更することができる。スライドバー７０は、左スタンド１５Ｌに設けられた左ブラケット１８Ｌと、右スタンド１５Ｒに設けられた右ブラケット１８Ｒとに支持されている。第１ホルダー３３および第２ホルダー３４は、グリッドローラ２２より後方に配置されている。第１ホルダー３３は、第２ホルダー３４より右方に配置されている。
【００２８】
図７に示すように、第１ホルダー３３には、主走査方向Ｙに延びる回転軸３５が設けられている。回転軸３５は、第１ホルダー３３に対して第２ホルダー３４の反対方向に延びる。回転軸３５は、第１ホルダー３３から右方に延びる。回転軸３５は、ロールメディア５と共に回転する。回転軸３５の軸心と供給軸３２の軸心とは同一である。なお、回転軸３５の軸心と供給軸３２の軸心とはずれていてもよい。回転軸３５には、径方向に延びる突起部３６が設けられている。本実施形態では、突起部３６は４つ設けられているが、突起部３６の数は特に限定されない。
【００２９】
図１に示すように、プリンタ１０は、ローディングレバー５０を備えている。ローディングレバー５０は、本体部１２に設けられている。ローディングレバー５０は、右サイドカバー１３Ｒの左方に設けられている。ローディングレバー５０は、プラテン２０から突出するように設けられている。図２に示すように、ローディングレバー５０は、グリッドローラ２２に対してメディア支持装置３０の反対側に配置されている。ローディングレバー５０は、グリッドローラ２２より前方に配置されている。図５に示すように、ローディングレバー５０は、後述する第１リンク機構５５および第２リンク機構６０にそれぞれ接続されている。図６に示すように、ローディングレバー５０は、基準位置Ａ０と、第１の位置Ａ１と第２の位置Ａ２との間で移動可能に構成されている。第１の位置Ａ１は、基準位置Ａ０に対して第２の位置Ａ２の反対側に位置する。即ち、第１の位置Ａ１は基準位置Ａ０より下方に位置し、第２の位置Ａ２は基準位置Ａ０より上方に位置する。ローディングレバー５０の位置は作業者によって変更される。ローディングレバー５０が基準位置Ａ０に位置するとき、メディア５Ａはピンチローラ２３およびグリッドローラ２２によって挟まれておらず、ロールメディア５の回転が許容されている状態である。
【００３０】
図５に示すように、第１リンク機構５５は、ピンチローラ２３に接続されている。第１リンク機構５５は、ピンチローラ２３を上下方向に移動させる。第１リンク機構５５は、ピンチローラ２３をグリッドローラ２２に対して接近および離反させる。なお、第１リンク機構５５の構成は、従来公知のものを適宜採用することができるため、その説明は省略する。
【００３１】
図６に示すように、ローディングレバー５０が基準位置Ａ０から第１の位置Ａ１に移動したとき、ピンチローラ２３がグリッドローラ２２に対して接近しメディア５Ａがピンチローラ２３およびグリッドローラ２２に挟まれるように構成されている。一方、ローディングレバー５０が第１の位置Ａ１から基準位置Ａ０に移動したとき、ピンチローラ２３がグリッドローラ２２に対して離反しメディア５Ａが解放されるように構成されている。
【００３２】
第２リンク機構６０は、ロールメディア５の回転を許容および阻止する。ここで、ロールメディア５は、メディア５Ａがプラテン２０に向けて搬送されるＲ１方向（図７参照）と、Ｒ１方向とは逆方向であるＲ２方向（図７参照）に回転可能であるが、第２リンク機構６０は、ロールメディア５がＲ１方向およびＲ２方向に回転することを阻止する機能を有する。図５に示すように、第２リンク機構６０は、ストッパー６２と、支軸６４と、ケーブル６６とを備えている。
【００３３】
ケーブル６６は、ローディングレバー５０とストッパー６２とに接続されている。ケーブル６６には、ローディングレバー５０が基準位置Ａ０（図６参照）から第２の位置Ａ２（図６参照）に移動したときに張力が加わる。即ち、ケーブル６６は引っ張られる。ケーブル６６に加わっていた張力は、ローディングレバー５０が第２の位置Ａ２から基準位置Ａ０に移動したときにゼロとなる。なお、ケーブル６６に加わっていた張力は、ローディングレバー５０が第２の位置Ａ２から第１の位置Ａ１に移動したときにゼロとなるように構成されていてもよい。
【００３４】
支軸６４は、ストッパー６２を回動可能に支持する。支軸６４は、第１ホルダー３３に設けられている。支軸６４は、第１ホルダー３３から右方に延びる。
【００３５】
ストッパー６２は、例えば平板状に形成されている。ストッパー６２は、回転軸３５に設けられた突起部３６から離反した非接触位置Ｂ１（図７参照））と、突起部３６に接触する接触位置Ｂ２（図８参照）との間で回動可能に構成されている。ストッパー６２は、突起部３６に接触することでロールメディア５の回転を阻止する。ストッパー６２は、突起部３６から離反することでロールメディア５の回転を許容する。ケーブル６６に張力が加わったとき、ストッパー６２は、接触位置Ｂ２に向けて回動する。ケーブル６６に張力が加わっていないとき、ストッパー６２は、非接触位置Ｂ１に位置する。ストッパー６２は、支軸６４を介して第１ホルダー３３に設けられている。このため、第１ホルダー３３の位置を変更しても、ストッパー６２と突起部３６との相対的な位置関係は変わらない。
【００３６】
図６に示すように、ローディングレバー５０が基準位置Ａ０から第２の位置Ａ２に移動したとき、ロールメディア５の回転が阻止されるように構成されている。即ち、ローディングレバー５０が基準位置Ａ０から第２の位置Ａ２に移動したとき、ストッパー６２が突起部３６に接触する接触位置Ｂ２に移動して、ロールメディア５の回転を阻止するように構成されている。一方、ローディングレバー５０が第２の位置Ａ２から基準位置Ａ０に移動したとき、ロールメディア５の回転の阻止が解除されるように構成されている。即ち、ローディングレバー５０が第２の位置Ａ２から基準位置Ａ０に移動したとき、ストッパー６２が突起部３６から離反する非接触位置Ｂ１に移動して、ロールメディア５の回転を許容するように構成されている。なお、ローディングレバー５０が第２の位置Ａ２から第１の位置Ａ１に移動したとき、ロールメディア５の回転の阻止が解除されるように構成されていてもよい。
【００３７】
巻き取り装置４４は、プラテン２０から搬送されたメディア５Ａをロール状に巻き取る。巻き取り装置４４には、巻き取り軸４８が着脱自在に設けられる。図１に示すように、巻き取り装置４４は、テンションバー４６と、支持アーム４７Ｌ、４７Ｒと、モータ４９とを備えている。
【００３８】
図２に示すように、テンションバー４６は、メディア５Ａのうちプラテン２０と巻き取り軸４８との間に位置する部分に対して張力を与えるものである。詳しくは、テンションバー４６は、自重を利用してメディア５Ａを前斜め下方に押すことにより、メディア５Ａに対して張力を与えるものである。テンションバー４６は、左右方向に延びる円筒形状または円柱形状に形成されている。テンションバー４６は、巻き取り軸４８に平行に配置されている。テンションバー４６はプラテン２０より下方に配置されている。テンションバー４６は、巻き取り軸４８より前方に配置されている。図１に示すように、テンションバー４６は、支持アーム４７Ｌ、４７Ｒに揺動可能に支持されている。支持アーム４７Ｌは、左スタンド１５Ｌに設けられた第１左側壁４８Ｌに回転自在に設けられている。支持アーム４７Ｒは、右スタンド１５Ｒに設けられた第１右側壁４８Ｒに回転自在に設けられている。
【００３９】
図２に示すように、巻き取り軸４８は、プラテン２０より下方に配置されている。巻き取り軸４８は、プラテン２０より前方に配置されている。巻き取り軸４８は、左右方向に延びる円筒形状に形成されている。巻き取り軸４８は、プラテン２０から搬送された帯状のメディア５Ａを巻き取る。図１に示すように、巻き取り軸４８の左端部は、第１左側壁４８Ｌより右方に配置された第２左側壁４９Ｌに回転可能に支持されている。巻き取り軸４８の右端部は、第１右側壁４８Ｒより左方に配置された第２右側壁４９Ｒに回転可能に支持されている。第２左側壁４９Ｌは、左スタンド１５Ｌに設けられている。第２右側壁４９Ｒは、右スタンド１５Ｒに設けられている。巻き取り軸４８は、第２左側壁４９Ｌおよび第２右側壁４９Ｒに着脱自在に設けられている。
【００４０】
図１に示すように、モータ４９は、巻き取り軸４８に連結されている。モータ４９は、巻き取り軸４８を回転させる。モータ４９は、第１右側壁４８Ｒと第２右側壁４９Ｒとの間に配置されている。
【００４１】
以上のように、本実施形態のプリンタ１０によると、ローディングレバー５０が基準位置Ａ０から第２の位置Ａ２に移動したときロールメディア５の回転が阻止され、ローディングレバー５０が第２の位置Ａ２から基準位置Ａ０または第１の位置Ａ１に移動したときロールメディア５の回転の阻止が解除される。このため、メディア５Ａをプラテン２０上に載置する際には、先ず、ロールメディア５から巻き解かれたメディア５Ａをプラテン２０より下流側（例えば前方に）引き出して、ローディングレバー５０を基準位置Ａ０から第２の位置Ａ２に移動させる。これにより、ロールメディア５の回転が阻止される。この状態で、プラテン２０上のメディア５Ａを主走査方向Ｙ（例えば左右方向に）に動かして位置合わせをした後メディア５Ａを引っ張ることによってメディア５Ａにテンションを掛ける。その後、ローディングレバー５０を第２の位置Ａ２から第１の位置Ａ１に移動させることによって、メディア５Ａにテンションが掛かりかつメディア５Ａが適切な位置に載置された状態で、メディア５Ａはピンチローラ２３およびグリッドローラ２２に挟まれる。このように、作業者は、メディア５Ａの位置合わせをする際にメディア支持装置３０に手を伸ばす必要がなく、ローディングレバー５０の操作という簡単な動作によって、メディア５Ａをプラテン２０上に適切に載置することができる。この結果、メディア５Ａは斜行が抑制された状態で搬送される。
【００４２】
本実施形態のプリンタ１０によると、第２リンク機構６０はストッパー６２を備えている。ストッパー６２は、ローディングレバー５０が基準位置Ａ０から第２の位置Ａ２に移動したとき、回転軸３５に形成された突起部３６に接触する接触位置Ｂ２に移動して、ロールメディア５の回転を阻止する。ストッパー６２は、ローディングレバー５０が第２の位置Ａ２から基準位置Ａ０に移動したとき、突起部３６から離反する非接触位置Ｂ１に移動して、ロールメディア５の回転を許容する。このように、突起部３６に接触可能なストッパー６２を設け、ローディングレバー５０によってストッパー６２の移動を操作することによって、ロールメディア５の回転を阻止および許容することができる。
【００４３】
本実施形態のプリンタ１０によると、ローディングレバー５０とストッパー６２とに接続されたケーブル６６に張力が加わったとき、ストッパー６２は接触位置Ｂ２に向けて回動する。また、ケーブル６６に張力が加わっていないとき、ストッパー６２は非接触位置Ｂ１に位置する。このように、ストッパー６２の回動はケーブル６６を介して行われるため、構造が簡単でありメンテナンスも容易である。
【００４４】
本実施形態のプリンタ１０によると、回転軸３５が設けられた第１ホルダー３３は、プラテン２０に対する主走査方向Ｙの位置を変更可能に構成されている。ローディングレバー５０とストッパー６２とを接続する部材がケーブル６６であるため、第１ホルダー３３の移動に対しても柔軟に対応することができる。
【００４５】
本実施形態のプリンタ１０によると、第１の位置Ａ１は、基準位置Ａ０に対して第２の位置Ａ２の反対側に位置する。これにより、作業者は、ロールメディア５の回転を阻止することと、メディア５Ａをピンチローラ２３およびグリッドローラ２２とで挟み込むこととを明確に区別することができる。
【００４６】
本実施形態のプリンタ１０によると、第１の位置Ａ１は、第２の位置Ａ２に対して基準位置Ａ０の反対側に位置していてもよい。これにより、作業者は、ロールメディア５の回転を阻止することと、メディア５Ａをピンチローラ２３およびグリッドローラ２２とで挟み込むこととをローディングレバー５０を同じ方向に動かすことによって簡単に実施できる。
【００４７】
本実施形態のプリンタ１０は、プラテン２０から搬送されたメディア５Ａを巻き取る巻き取り装置４４を備えている。プラテン２０から搬送されるメディア５Ａは斜行が抑制されているため、巻き取り装置４４において巻き乱れが発生することが抑制される。
【００４８】
本実施形態のプリンタ１０は、プラテン２０の上方に配置され、主走査方向Ｙに移動し、メディア５Ａにインクを吐出するインクヘッド２７を備えている。メディア５Ａの斜行が抑制された状態でメディア５Ａが搬送されるため、メディア５Ａ上に適切に印刷することができる。
【００４９】
本実施形態のプリンタ１０は、プラテン２０の上方に配置され、主走査方向Ｙに移動し、メディア５Ａをカットするカッティングヘッド２８を備えている。メディア５Ａの斜行が抑制された状態でメディア５Ａが搬送されるため、正確にメディア５Ａをカットすることができる。
【００５０】
以上、本発明の好適な実施形態について説明した。しかし、上述の各実施形態は例示に過ぎず、本発明は他の種々の形態で実施することができる。
【００５１】
上述した実施形態では、第１ホルダー３３に回転軸３５、突起部３６およびストッパー６２が設けられていたが、これに限定されない。例えば、回転軸３５、突起部３６およびストッパー６２は、第２ホルダー３４に設けられていてもよいし、第１ホルダー３３および第２ホルダー３４の両方に設けられていてもよい。
【００５２】
上述した実施形態では、第１の位置Ａ１は基準位置Ａ０より下方に位置し、第２の位置Ａ２は基準位置Ａ０より上方に位置していたが、これに限定されない。例えば、第１の位置Ａ１は基準位置Ａ０より上方に位置し、第２の位置Ａ２は基準位置Ａ０より下方に位置していてもよい。
【００５３】
上述した実施形態では、第１の位置Ａ１は、基準位置Ａ０に対して第２の位置Ａ２の反対側に位置していたがこれに限定されない。第１の位置Ａ１は、第２の位置Ａ２に対して基準位置Ａ０の反対側に位置していてもよい。例えば、第１の位置Ａ１は第２の位置Ａ２より下方に位置し、基準位置Ａ０は第２の位置Ａ２より上方に位置していてもよい。また、第１の位置Ａ１は第２の位置Ａ２より上方に位置し、基準位置Ａ０は第２の位置Ａ２より下方に位置していてもよい。
【００５４】
ストッパーは、メディア５Ａがピンチローラ２３およびグリッドローラ２２に挟まれると同時または後に、ロールメディア５の回転の阻止を解除するように構成されていてもよい。例えば、モータを用いてストッパー６２の回動を制御することによって実現することができる。これにより、より確実にメディア５Ａをプラテン２０上に適切に載置することができる。
【００５５】
上述した実施形態では、プリンタ１０は、インクヘッド２７およびカッティングヘッド２８を備えていたが、いずれか一方のみを備えている構成であってもよい。
【符号の説明】
【００５６】
５  ロールメディア
５Ａ  メディア
１０  プリンタ
２０  プラテン
２２  グリッドローラ
２３  ピンチローラ
３０  メディア支持装置
３３  第１ホルダー
３４  第２ホルダー
３６  突起部
５０  ローディングレバー
５５  第１リンク機構
６０  第２リンク機構
６２  ストッパー
６６  ケーブル
【図１】
2018122433.tif 000003
【図２】
2018122433.tif 000004
【図３】
2018122433.tif 000005
【図４】
2018122433.tif 000006
【図５】
2018122433.tif 000007
【図６】
2018122433.tif 000008
【図７】
2018122433.tif 000009
【図８】
2018122433.tif 000010